(57)【要約】【課題】  小型、携帯型の装置において、情報表示量を多くでき、かつ、様々な表示態様に対応する。【解決手段】  表示装置１０は、リング形状のフレーム１２と、フレーム１２の周面に沿って、略全周にわたって表示画面が配置された表示部１１と、を備える。また、表示装置は、リング形状のフレームと、フレームの周面に沿って配置された複数の表示部と、を備え、フレームの周面に沿って、略全周にわたって表示画面が配置されている。【選択図】      図１
2005250442.tif 000002
【特許請求の範囲】
【請求項１】
リング形状、或いは、少なくとも装着時にリング形状となるフレームと、
前記フレームの周面に沿って、略全周にわたって表示画面が配置された表示部と、
を備えたことを特徴とする表示装置。
【請求項２】
前記表示部がフレームの周面に沿って複数配置されている
ことを特徴とする請求項１に記載の表示装置。
【請求項３】
請求項１または請求項２記載の表示装置において、
前記フレームと表示部との間に、電源および前記表示部を駆動するための駆動回路を配置したことを特徴とする表示装置。
【請求項４】
請求項３記載の表示装置において、
前記電源は、外部から電力の供給を受けて、電力を蓄える蓄電装置として構成されていることを特徴とする表示装置。
【請求項５】
請求項３または請求項４記載の表示装置において、
前記電源と前記駆動回路とは、前記フレームの相異なる周面位置に配置されていることを特徴とする表示装置。
【請求項６】
請求項１ないし請求項５のいずれかに記載の表示装置において、
外部機器から表示データを受信する表示データ受信部と、
受信した前記表示データを記憶する記憶部と、
前記記憶部から前記表示データを読み出し、前記表示部に前記表示データに対応する画像を表示させる表示制御部と、
を備えたことを特徴とする表示装置。
【請求項７】
請求項６記載の表示装置において、
前記表示データ受信部は、近距離無線通信により前記表示データを受信することを特徴とする表示装置。
【請求項８】
リング形状、或いは、少なくとも装着時にリング形状となるフレームと、前記フレームの周面に沿って配置された一または複数の表示部と、を備え、前記フレームの周面に沿って、略全周にわたって表示画面が配置された表示装置を制御するための制御方法において、
外部機器から表示データを受信する表示データ受信過程と、
受信した前記表示データを記憶する記憶過程と、
記憶した前記表示データを読み出し、前記表示部に前記表示データに対応する画像を表示させる表示制御過程と、
を備えたことを特徴とする表示装置の制御方法。
【請求項９】
リング形状、或いは、少なくとも装着時にリング形状となるフレームと、前記フレームの周面に沿って配置された一または複数の表示部と、を備え、前記フレームの周面に沿って、略全周にわたって表示画面が配置された表示装置をコンピュータにより制御するための制御プログラムにおいて、
外部機器から表示データを受信させ、
受信した前記表示データを記憶させ、
記憶した前記表示データを読み出させ、前記表示部に前記表示データに対応する画像を表示させる、
ことを特徴とする制御プログラム。
【請求項１０】
請求項１記載の表示装置において、
互いに連携して画像を表示すべきであるとともに、隣接して配置された他の表示装置との間で指向性のある通信を行う通信部と、
前記通信により、互いの前記表示画面が略円筒の周面に沿って配置されるように略隣接して装着された際の所定の基準位置に対する相対的な自己の回転位置を検出する回転位置検出部と、
前記相対的な回転位置に基づいて、前記所定の基準位置を表示基準位置として、前記表示データに対応する画像を前記表示部に表示させる表示制御部と、
を備えたことを特徴とする表示装置。
【請求項１１】
請求項１０記載の表示装置において、
前記連携して画像を表示すべき複数の表示装置の中で、前記略円筒の回転軸に沿った方向における自己の位置を特定する自己位置特定情報を記憶する自己位置記憶部を備え、
前記表示制御部は、前記自己位置特定情報に基づいて、前記連携して表示すべき画像を構成する部分画像を前記表示部に表示させる、
ことを特徴とする表示装置。
【請求項１２】
請求項１１記載の表示装置において、
前記通信部は、前記回転軸に沿った一方側に位置する表示装置から自己位置特定情報を受信し、前記自己位置記憶部に記憶させる位置情報受信部と、前記回転軸に沿った他方側に位置するであろう表示装置に対応する自己位置特定情報である次位置特定情報を送信する位置情報送信部と、を備え、
当該表示装置は、前記自己位置特定情報に基づいて前記次位置特定情報を生成する次位置情報生成部を備えた、
ことを特徴とする表示装置。
【請求項１３】
請求項１２記載の表示装置において、
前記通信部は、前記他方側に位置するであろう表示装置から、終端情報を受信しなかった場合に、自己が他方側の端に位置する表示装置であるとして、前記一方側に前記終端情報を送信することを特徴とする表示装置。
【請求項１４】
請求項１３記載の表示装置において、
前記通信部は、前記終端情報とともに、自己の自己位置特定情報を送信することを特徴とする表示装置。
【請求項１５】
請求項１１ないし請求項１４のいずれかに記載の表示装置において、
前記自己位置記憶部は、初期状態において、自己が前記複数の表示装置のうち、略中心の位置に配置されている旨を表す中心位置特定情報を前記自己位置特定情報として記憶していることを特徴とする表示装置。
【請求項１６】
請求項１５記載の表示装置において、
前記自己位置記憶部が前記中心位置特定情報を記憶している場合に、前記表示基準位置として自己の前記表示画面の周面方向のいずれかの位置とする基準位置特定部を備えたことを特徴とする表示装置。
【請求項１７】
請求項１５記載の表示装置において、
前記通信部は、前記自己位置記憶部が前記中心位置特定情報を記憶しておらず、かつ、前記他方側に位置する表示装置から前記終端情報を受信した場合に、前記一方側に当該終端情報を転送することを特徴とする表示装置。
【請求項１８】
請求項１７記載の表示装置において、
前記通信部は、前記終端情報とともに、前記他方側の端に位置する表示装置に対応する自己位置特定情報を転送することを特徴とする表示装置。
【請求項１９】
リング形状、或いは、少なくとも装着時にリング形状となるフレームと、前記フレームの周面に沿って、略全周にわたって表示画面が配置された表示部と、を備えた表示装置の制御方法において、
互いに連携して画像を表示すべきであるとともに、隣接して配置された他の表示装置との間で指向性のある通信を行う通信過程と、
前記通信により、互いの前記表示画面が略円筒の周面に沿って配置されるように略隣接して装着された際の所定の基準位置に対する相対的な自己の回転位置を検出する回転位置検出過程と、
前記相対的な回転位置に基づいて、前記所定の基準位置を表示基準位置として、前記表示データに対応する画像を前記表示部に表示させる表示制御過程と、
を備えたことを特徴とする表示装置の制御方法。
【請求項２０】
リング形状、或いは、少なくとも装着時にリング形状となるフレームと、前記フレームの周面に沿って、略全周にわたって表示画面が配置された表示部と、互いに連携して画像を表示すべきであるとともに、隣接して配置された他の表示装置との間で指向性のある通信を行う通信部と、を備えた表示装置をコンピュータにより制御する制御プログラムにおいて、
前記通信により、互いの前記表示画面が略円筒の周面に沿って配置されるように略隣接して装着された際の所定の基準位置に対する相対的な自己の回転位置を検出させ、
前記相対的な回転位置に基づいて、前記所定の基準位置を表示基準位置として、前記表示データに対応する画像を前記表示部に表示させる、
ことを特徴とする制御プログラム。
【請求項２１】
請求項１記載の表示装置において、
他の表示装置との間で通信を行い、互いに画像表示のための同期をとる通信部と、
表示データに基づいて、前記他の表示装置と同期がとれた状態で前記表示データに対応する画像を前記表示部に表示させる表示制御部と、
を備えたことを特徴とする表示装置。
【請求項２２】
請求項２１記載の表示装置において、
前記表示部は、複数の副表示部を備えていることを特徴とする表示装置。
【請求項２３】
請求項２１または請求項２２記載の表示装置において、
前記表示データを記憶する記憶部を備え、
前記通信部は、外部機器から表示データを受信して前記記憶部に記憶させ、
前記表示制御部は、前記記憶部から前記表示データを読み出し、前記表示部に前記表示データに対応する画像を表示させる、
ことを特徴とする表示装置。
【請求項２４】
請求項２１ないし請求項２３のいずれかに記載の表示装置において、
前記通信部は、他の一または複数の表示装置と通信ネットワークを構成し、
前記通信ネットワークを介して前記同期をとることを特徴とする表示装置。
【請求項２５】
請求項２４記載の表示装置において、
前記通信ネットワークは、ピアツーピア型、スター型、リング型あるいはバス型の通信ネットワークとして構築されていることを特徴とする表示装置。
【請求項２６】
請求項２１ないし請求項２５のいずれかに記載の表示装置において、
前記通信部は、近距離無線通信を行うことを特徴とする表示装置。
【請求項２７】
リング形状のフレームと、前記フレームの周面に沿って配置された一または複数の表示部と、を備え、前記フレームの周面に沿って、略全周にわたって表示画面が配置された表示装置を制御するための制御方法において、
他の表示装置との間で通信を行い、互いに画像表示のための同期をとる通信過程と、
表示データに基づいて、前記他の表示装置と同期がとれた状態で前記表示データに対応する画像を前記表示部に表示させる表示制御過程と、
を備えたことを特徴とする表示装置の制御方法。
【請求項２８】
リング形状のフレームと、前記フレームの周面に沿って配置された一または複数の表示部と、を備え、前記フレームの周面に沿って、略全周にわたって表示画面が配置された表示装置をコンピュータにより制御するための制御プログラムにおいて、
他の表示装置との間で通信を行い、互いに画像表示のための同期をとらせ、
表示データに基づいて、前記他の表示装置と同期がとれた状態で前記表示データに対応する画像を前記表示部に表示させる、
ことを特徴とする制御プログラム。
【請求項２９】
請求項９、２０または２８のいずれかに記載の制御プログラムを記録したことを特徴とするコンピュータ読取可能な記録媒体。
【発明の詳細な説明】
【技術分野】
【０００１】
本発明は、表示装置、表示装置の制御方法、制御プログラムおよび記録媒体に係り、特に腕などに装着するリング状の表示装置、表示装置の制御方法、制御プログラムおよび記録媒体に関する。
【背景技術】
【０００２】
従来、腕に装着する形式の表示装置としては、腕時計型やブレスレット型のものが知られている（例えば、特許文献１および特許文献２参照）。
【特許文献１】特開２０００−２０９３１９
【特許文献２】実用新案登録第３０９６５５９３号
【発明の開示】
【発明が解決しようとする課題】
【０００３】
これらの腕時計型表示装置あるいはブレスレット型表示装置においては、実際に表示を行う表示画面の面積が装置全体の大きさに比較して狭く、視認性などの観点から情報表示量をあまり多くできないという問題点があった。
また、表示部の形状も文字情報などの読み取りを主とした平面的なものであったため、その表示態様には限界があった。
そこで、本発明の目的は、小型、携帯型の装置において、情報表示量を多くでき、かつ、様々な表示態様に対応可能な表示装置、表示装置の制御方法、制御プログラムおよび記録媒体を提供することにある。
【課題を解決するための手段】
【０００４】
上記課題を解決するため、表示装置は、リング形状、或いは、少なくとも装着時にリング形状となるフレームと、前記フレームの周面に沿って、略全周にわたって表示画面が配置された表示部と、を備えたことを特徴としている。
この表示装置において、前記表示部がフレームの周面に沿って複数配置されている構成が望ましい。
また、上記いずれかの表示装置において、前記フレームと表示部との間に、電源および前記表示部を駆動するための駆動回路を配置するようにしてもよい。
また、前記電源は、外部から電力の供給を受けて、電力を蓄える蓄電装置として構成されるようにしてもよい。
さらに、前記電源と前記駆動回路とは、前記フレームの相異なる周面位置に配置されているようにしてもよい。
さらにまた、上記いずれかの表示装置において、外部機器から表示データを受信する表示データ受信部と、受信した前記表示データを記憶する記憶部と、前記記憶部から前記表示データを読み出し、前記表示部に前記表示データに対応する画像を表示させる表示制御部と、を備えるようにしてもよい。
また、前記表示データ受信部は、近距離無線通信により前記表示データを受信するようにしてもよい。
【０００５】
また、上記課題を解決するために、リング形状、或いは、少なくとも装着時にリング形状となるフレームと、前記フレームの周面に沿って配置された一または複数の表示部と、を備え、前記フレームの周面に沿って、略全周にわたって表示画面が配置された表示装置を制御するための制御方法において、外部機器から表示データを受信する表示データ受信過程と、受信した前記表示データを記憶する記憶過程と、記憶した前記表示データを読み出し、前記表示部に前記表示データに対応する画像を表示させる表示制御過程と、を備えたことを特徴としている。
この制御方法において、前記表示データ受信過程は、近距離無線通信により前記表示データを受信するようにしてもよい。
また、上記課題を解決するために、リング形状、或いは、少なくとも装着時にリング形状となるフレームと、前記フレームの周面に沿って配置された一または複数の表示部と、を備え、前記フレームの周面に沿って、略全周にわたって表示画面が配置された表示装置をコンピュータにより制御するための制御プログラムにおいて、外部機器から表示データを受信させ、受信した前記表示データを記憶させ、記憶した前記表示データを読み出させ、前記表示部に前記表示データに対応する画像を表示させる、ことを特徴としている。
また、上記各制御プログラムをコンピュータ読取可能な記録媒体に記録するようにしてもよい。
【０００６】
また上記課題を解決するために、上述した表示装置において、互いに連携して画像を表示すべきであるとともに、隣接して配置された他の表示装置との間で指向性のある通信を行う通信部と、前記通信により、互いの前記表示画面が略円筒の周面に沿って配置されるように略隣接して装着された際の所定の基準位置に対する相対的な自己の回転位置を検出する回転位置検出部と、前記相対的な回転位置に基づいて、前記所定の基準位置を表示基準位置として、前記表示データに対応する画像を前記表示部に表示させる表示制御部と、を備える構成としても良い。
上記構成においては、通信部は、互いに連携して画像を表示すべき他の表示装置との間で通信を行う。また、回転位置検出部は、この通信により、互いの表示画面が略円筒の周面に沿って配置されるように略隣接して装着された際の所定の基準位置に対する相対的な自己の回転位置を検出する。これらの結果、表示制御部は、相対的な回転位置に基づいて、所定の基準位置を表示基準位置として、表示データに対応する画像を表示部に表示させる。
【０００７】
上記の表示装置において、前記連携して画像を表示すべき複数の表示装置の中で、前記略円筒の回転軸に沿った方向における自己の位置を特定する自己位置特定情報を記憶する自己位置記憶部を備え、前記表示制御部は、前記自己位置特定情報に基づいて、前記連携して表示すべき画像を構成する部分画像を前記表示部に表示させるようにしてもよい。
また、前記通信部は、前記回転軸に沿った一方側に位置する表示装置から自己位置特定情報を受信し、前記自己位置記憶部に記憶させる位置情報受信部と、前記回転軸に沿った他方側に位置するであろう表示装置に対応する自己位置特定情報である次位置特定情報を送信する位置情報送信部と、を備え、当該表示装置は、前記自己位置特定情報に基づいて前記次位置特定情報を生成する次位置情報生成部を備えるようにしてもよい。
【０００８】
さらに、前記通信部は、前記他方側に位置するであろう表示装置から、終端情報を受信しなかった場合に、自己が他方側の端に位置する表示装置であるとして、前記一方側に前記終端情報を送信するようにしてもよい。
さらにまた、前記通信部は、前記終端情報ととともに、自己の自己位置特定情報を送信するようにしてもよい。
また、前記自己位置記憶部は、初期状態において、自己が前記複数の表示装置のうち、略中心の位置に配置されている旨を表す中心位置特定情報を前記自己位置特定情報として記憶しているようにしてもよい。
【０００９】
さらに前記自己位置記憶部が前記中心位置特定情報を記憶している場合に、前記表示基準位置として自己の前記表示画面の周面方向のいずれかの位置とする基準位置特定部を備えるようにしてもよい。
さらにまた、前記通信部は、前記自己位置記憶部が前記中心位置特定情報を記憶しておらず、かつ、前記他方側に位置する表示装置から前記終端情報を受信した場合に、前記一方側に当該終端情報を転送するようにしてもよい。
また、前記通信部は、前記終端情報ととともに、前記他方側の端に位置する表示装置に対応する自己位置特定情報を転送するようにしてもよい。
【００１０】
また上記課題を解決するために、リング形状、或いは、少なくとも装着時にリング形状となるフレームと、前記フレームの周面に沿って、略全周にわたって表示画面が配置された表示部と、を備えた表示装置の制御方法において、互いに連携して画像を表示すべきであるとともに、隣接して配置された他の表示装置との間で指向性のある通信を行う通信過程と、前記通信により、互いの前記表示画面が略円筒の周面に沿って配置されるように略隣接して装着された際の所定の基準位置に対する相対的な自己の回転位置を検出する回転位置検出過程と、前記相対的な回転位置に基づいて、前記所定の基準位置を表示基準位置として、前記表示データに対応する画像を前記表示部に表示させる表示制御過程と、を備えることを特徴とする。
【００１１】
この制御方法において、前記連携して画像を表示すべき複数の表示装置の中で、前記略円筒の回転軸に沿った方向における自己の位置を特定する自己位置特定情報を記憶する自己位置記憶過程を備え、前記表示制御過程は、前記自己位置特定情報に基づいて、前記連携して表示すべき画像を構成する部分画像を前記表示部に表示させるようにしてもよい。
また、前記通信過程は、前記回転軸に沿った一方側に位置する表示装置から自己位置特定情報を受信し、前記自己位置記憶部に記憶させる位置情報受信過程と、前記回転軸に沿った他方側に位置するであろう表示装置に対応する自己位置特定情報である次位置特定情報を送信する位置情報送信過程と、を備え、当該制御方法は、さらに、前記自己位置特定情報に基づいて前記次位置特定情報を生成する次位置情報生成過程を備えるようにしてもよい。
【００１２】
また上記課題を解決するために、リング形状、或いは、少なくとも装着時にリング形状となるフレームと、前記フレームの周面に沿って、略全周にわたって表示画面が配置された表示部と、互いに連携して画像を表示すべきであるとともに、隣接して配置された他の表示装置との間で指向性のある通信を行う通信部と、を備えた表示装置をコンピュータにより制御する制御プログラムにおいて、前記通信により、互いの前記表示画面が略円筒の周面に沿って配置されるように略隣接して装着された際の所定の基準位置に対する相対的な自己の回転位置を検出させ、前記相対的な回転位置に基づいて、前記所定の基準位置を表示基準位置として、前記表示データに対応する画像を前記表示部に表示させる、ことを特徴としている。
この制御プログラムにおいて、前記連携して画像を表示すべき複数の表示装置の中で、前記略円筒の回転軸に沿った方向における自己の位置を特定する自己位置特定情報を記憶させ、前記自己位置特定情報に基づいて、前記連携して表示すべき画像を構成する部分画像を前記表示部に表示させるようにしてもよい。
【００１３】
また、前記回転軸に沿った一方側に位置する表示装置から自己位置特定情報を受信させ、前記自己位置特定情報を記憶させ、前記回転軸に沿った他方側に位置するであろう表示装置に対応する自己位置特定情報である次位置特定情報を送信させ、前記自己位置特定情報に基づいて前記次位置特定情報を生成させるようにしてもよい。
また、上記各制御プログラムをコンピュータ読取可能な記録媒体に記録するようにしてもよい。
【００１４】
上記課題を解決するため、上述の表示装置において、他の表示装置との間で通信を行い、互いに画像表示のための同期をとる通信部と、表示データに基づいて、前記他の表示装置と同期がとれた状態で前記表示データに対応する画像を前記表示部に表示させる表示制御部と、を備えたことを特徴としている。
この表示装置によれば、通信部は、他の表示装置との間で通信を行い、互いに画像表示のための同期をとる。これにより、表示制御部は、表示データに基づいて、他の表示装置と同期がとれた状態で表示データに対応する画像を表示部に表示させる。
【００１５】
この表示装置において、前記表示部は、複数の副表示部を備えているようにしてもよい。
また、前記表示データを記憶する記憶部を備え、前記通信部は、外部機器から表示データを受信して前記記憶部に記憶させ、前記表示制御部は、前記記憶部から前記表示データを読み出し、前記表示部に前記表示データに対応する画像を表示させるようにしてもよい。
さらに、前記通信部は、他の一または複数の表示装置と通信ネットワークを構成し、前記通信ネットワークを介して前記同期をとるようにしてもよい。
さらにまた、前記通信ネットワークは、ピアツーピア型、スター型、リング型あるいはバス型の通信ネットワークとして構築されているようにしてもよい。
また、前記通信部は、近距離無線通信を行うようにしてもよい。
【００１６】
また上記課題を解決するために、リング形状、或いは、少なくとも装着時にリング形状となるフレームと、前記フレームの周面に沿って配置された一または複数の表示部と、を備え、前記フレームの周面に沿って、略全周にわたって表示画面が配置された表示装置を制御するための制御方法において、他の表示装置との間で通信を行い、互いに画像表示のための同期をとる通信過程と、表示データに基づいて、前記他の表示装置と同期がとれた状態で前記表示データに対応する画像を前記表示部に表示させる表示制御過程と、を備えたことを特徴としている。
この制御方法において、前記通信過程は、外部機器から表示データを受信して記憶する記憶過程を備え、前記表示制御過程は、記憶した前記表示データを読み出し、前記表示部に前記表示データに対応する画像を表示させるようにしてもよい。
また、前記通信課程は、近距離無線通信により通信を行うようにしてもよい。
【００１７】
また上記課題を解決するために、リング形状、或いは、少なくとも装着時にリング形状となるフレームと、前記フレームの周面に沿って配置された一または複数の表示部と、を備え、前記フレームの周面に沿って、略全周にわたって表示画面が配置された表示装置をコンピュータにより制御するための制御プログラムにおいて、他の表示装置との間で通信を行い、互いに画像表示のための同期をとらせ、表示データに基づいて、前記他の表示装置と同期がとれた状態で前記表示データに対応する画像を前記表示部に表示させる、ことを特徴としている。
【００１８】
この制御プログラムにおいて、外部機器から表示データを受信させて記憶させ、記憶させた前記表示データを読み出させ、前記表示部に前記表示データに対応する画像を表示させるようにしてもよい。
また、上記各制御プログラムをコンピュータ読取可能な記録媒体に記録するようにしてもよい。
【発明の効果】
【００１９】
本発明によれば、情報表示量を多くでき、様々な表示態様に対応可能となる。
【発明を実施するための最良の形態】
【００２０】
次に図面を参照して本発明の好適な実施の形態について詳細に説明する。
［１］第１実施形態
図１は本実施形態に係る表示装置１０の外観斜視図である。図２は表示装置１０の外観側面図である。表示装置１０は、大別すると、各種情報を表示する表示ユニット１１と、フレーム１２とを備えている。フレーム１２はボビン形状を有し、ユーザの腕に装着されるとともに、表示ユニット１１を支持する。フレーム１２の内径は、ブレスレットを想定した場合、装着性を考慮すると５０〜７０ｍｍφが好ましく、幅は５mm〜３０mmが好ましい。なお、フレームの形状は円形だけでなく、楕円形状、多角形状でもよい。フレーム１２の表示ユニット１１の側方部は、図１および図２に示すように、表示ユニット１１の表示面を保護すべく突設されている。
【００２１】
図３は、表示装置１０の概要構成ブロック図である。
表示装置１０は、大別すると、上述した表示ユニット１１と、各部に電力を供給する電源１３と、表示装置１０全体を制御するコントローラ１４と、基準発振信号を生成し出力する発振部１５と、各種情報を記憶する外部メモリ１６と、情報入力を行うためのセンサ部１７と、外部から表示データを受信する無線部１８とを備えている。
【００２２】
図４は組込前の表示ユニット１１の平面図である。
表示ユニット１１は、樹脂（プラスチック：ポリイミドやポリエステル等を使用）などの可撓性部材で形成されたフレキシブル基板２１を備えている。このフレキシブル基板２１上には、（反射型）液晶ディスプレイパネル、有機ＥＬ（electroluminescence）ディスプレイパネル、電気泳動ディスプレイパネルなどの表示パネル２２と、表示パネル２２を駆動するためのドライバ回路２３とが配置されている。また、フレキシブル基板２１の一端には、コントローラ１４に電気的に接続するためのコネクタ部２４が設けられている。ドライバ回路２３は、例えば、樹脂製のフレキシブル基板２１上に設けられた超低温プロセスのＬＴＰＳ−ＴＦＴ（Low Temperature Poly Silicon-Thin Film Transistor）により構成され、或いは、表面実装部品により構成される。
【００２３】
電源１３は、フレーム１２の周面に沿って配置する必要があるため、フレキシブルで形状変化が可能なものが好ましく、例えば、二次電池であるリチウムポリマー電池により構成されている。しかしながら、電源１３はフレキシブルな材質でなくとも、フレーム１２の周面に沿った形状とすることができれば構わない。電源１３への充電方式としては、通常行われているように、充電用の端子をフレーム１２に設け、この充電用の端子に充電電圧を加えることで、電源１３に電力を供給することも可能であるが、電磁誘導などの方式により無線で電力を電源１３に供給するように構成することも可能である。また、フレーム１２の裏面側（内周面側）から電池交換可能な構造とすれば、通常のボタン電池などの一次電池を用いることも可能である。
【００２４】
コントローラ１４は、いわゆるマイクロコンピュータとして構成されており、図示しないＭＰＵ、ＲＯＭ、ＲＡＭなどを備え、ＲＯＭに予め格納された制御プログラムに基づいてＭＰＵが処理を行って表示装置１０全体を制御する。ＲＡＭには、各種データが一時的に格納される。発振部１５は、水晶発振器を内蔵しており、コントローラ１４が各種基準クロック等として用いるための基準発振信号を生成し、コントローラ１４に出力する。外部メモリ１６は、主として、表示データを記憶するものであり、必要に応じてその一部又は全部を不揮発性メモリとされる。センサ部１７は、いわゆる操作部として機能し、例えば、加速度センサ、ジャイロセンサなどを備え、ユーザの腕の振り状態などを検出して、表示画像選択、表示開始／停止などの各種操作を行う。無線部１８は、近距離無線通信を行ってパーソナルコンピュータ５（図７参照）、専用画像転送装置、或いは、画像管理システム等の外部機器から表示データを受信し、コントローラ１４の制御下で外部メモリ１６に転送する。
【００２５】
図５は、図２に示した表示装置１０のＡ−Ａ断端面図である。図６は、図５に示した表示装置１０のＢ−Ｂ断面図である。なお、図６において、各部材を支持する支持部材については図示を省略している。
図５の左側に示す部分には、図６の下部に示すように、表示装置１０のフレーム１２の周面から外側に向かって、電源１３、表示ユニット１１、カバー３０が配置されている。カバー３０は、透明樹脂若しくは透明ガラスで形成されており、表示ユニット１１を保護している。
【００２６】
また、図５の右側に示す部分には、図６の上部に示すように、表示装置１０のフレーム１２の周面から外側に向かって、各種電子部品３１が配置されたフレキシブル基板３２、表示ユニット１１、カバー３０が配置されている。これらの各種電子部品３１およびフレキシブル基板３２により、コントローラ１４、発振部１５、外部メモリ１６、センサ部１７、無線部１８が構成されている。また、図５に示すように、表示ユニット１１は、フレーム１２の周面に沿って、略全周（略３６０゜）にわたって配置されている。さらに図５に示すように、電源１３とフレキシブル基板３２とは電源コネクタ部３３を介して電気的に接続されている。また、フレキシブル基板３２と表示ユニット１１とはコネクタ部２４を介して電気的に接続されており、これによりフレキシブル基板３２上のコントローラ１４と表示ユニット１１とが電気的に接続される。また、電源１３とフレキシブル基板３２とは、フレーム１２の周面の異なる部分に配置されているので、厚さを低減することができるようになっている。
【００２７】
次に表示装置１０の動作を説明する。
図７は、本実施形態の動作説明図である。
外部機器であるパーソナルコンピュータ５の通信アンテナ５Ａを介して表示データが、このパーソナルコンピュータ５から送信（転送）されると、表示装置１０の無線部１８は、近距離無線通信を行って表示データを受信し、コントローラ１４の制御下で外部メモリ１６に転送する。そして、コントローラ１４は、発振部１５が生成する基準発振信号に基づくタイミングで、ＲＯＭに格納された制御用プログラムに基づいてＭＰＵが処理を行い、表示ユニット１１に対してコネクタ部２４を介して表示データを転送する。なお、パーソナルコンピュータ５等の外部機器から表示装置１０への制御用プログラムおよび表示データの転送を手動で行う構成とすることも、或いは、自動で行う構成とすることも可能である。さらに、転送を自動で行う構成では、表示装置１０が外部機器の通信可能範囲内に至ったときに、表示データの更新が自動で行われるように構成することも可能である。
【００２８】
表示ユニット１１に表示データが転送されると、この表示ユニット１１のドライバ回路２３が表示パネル２２を駆動し、表示パネル２２上に表示データに対応する画像（図７では、文字列「今日の長野地方のお天気は晴れです。」）を表示する。このときの表示態様として、電光掲示板のように、文字列が第１の方向（右方向）から第２の方向（左方向）に向かって流れるように、表示装置１０の周面を周回しながら表示されるといった態様がある。
また、表示装置１０がユーザに装着されたときに、仮に表示が逆さまになっている場合には、腕を３回強く振る動作など所定の動作を行うことにより、センサ部１７を介してコントローラ１４に反転指示が入力され、正常な表示がなされる。また、所定の動作により、文字が流れるのを停止させたり、再開させたりするように構成することも可能である。
【００２９】
以上説明したように、本実施形態によれば、表示装置１０の周面に沿って、略全周にわたって表示を行うことが可能となり、表示データ量を増加させることが可能となる。
さらに、本実施形態によれば、ほぼ３６０゜全周にわたって、ある地点から見た風景を表示するといったように、表示装置１０の周面を用いて様々な表示態様を実現することが可能となる。
また本実施形態によれば、表示装置１０の周面に沿って、略全周にわたって表示パネル２２を繋ぎ目なしに配置することで、また、表示パネル２２とフレーム１２とに一体感を持たせることで、表示装置１０に高級感を持たせることができる。
さらに、このような表示装置１０を会話を行えないような状況下（たとえば、水中）で使用した場合、互いに数メートル〜数十メートル離れた者同士での情報伝達をスムーズに図ることができる。
【００３０】
［２］第２実施形態
上述した第１実施形態では、表示装置１０のフレーム１２が完全なリング形状である場合を説明したが、第２実施形態では、フレーム１２がヒンジ部を備え、中折れ可能な構造となっている場合を説明する。なお、以下の説明では、第１実施形態の表示装置１０と区別するために、本実施形態の表示装置に符号１０Ａを付す。
【００３１】
図８は、本実施形態の表示装置１０Ａの外観斜視図である。
表示装置１０Ａは、大別すると、各種情報を表示する第１表示ユニット５１と、各種情報を表示する第２表示ユニット５２と、フレーム５３とを備えている。フレーム５３は、ボビン形状を有し、ユーザの腕に装着されるとともに、表示ユニット５１、５２を支持する。また、フレーム５３は、第１フレーム５３Ａおよび第２フレーム５３Ｂがヒンジ部５３Ｃを介して回動可能に構成されている。フレーム５３の内径は、ブレスレットを想定した場合、５０〜７０ｍｍφとされている。
【００３２】
図９は、図８に示した表示装置１０Ａの断端面図である。
第１フレーム５３Ａにおいては、周面にほぼ接するように、電源５４Ａおよび各種電子部品（図示せず）が配置されたフレキシブル基板５５Ａが配置され、電源５４Ａおよびフレキシブル基板５５Ａは、電源コネクタ部５７Ａを介して電気的に接続されている。さらに周面から離れる側には、第１表示ユニット５１、カバー５６Ａが配置されている。フレキシブル基板５５Ａと第１表示ユニット５１とはコネクタ部５８Ａを介して電気的に接続されており、カバー５６Ａは、透明樹脂若しくは透明ガラスで形成されており、第１表示ユニット５１を保護している。
【００３３】
第２フレーム５３Ｂにおいては、周面にほぼ接するように、電源５４Ｂおよび各種電子部品（図示せず）が配置されたフレキシブル基板５５Ｂが配置され、電源５４Ｂおよびフレキシブル基板５５Ｂは、電源コネクタ部５７Ｂを介して電気的に接続されている。さらに周面から離れる側には、第２表示ユニット５２、カバー５６Ｂが配置されている。フレキシブル基板５５Ｂと第２表示ユニット５２とはコネクタ部５８Ｂを介して電気的に接続されており、カバー５６Ｂも、透明樹脂若しくは透明ガラスで形成されており、第２表示ユニット５２を保護している。
上記構成において、フレキシブル基板５５Ａ、５５Ｂの構成は、第１実施形態のフレキシブル基板３２と同様であり、コントローラ、発振部、外部メモリ、センサ部、無線部が構成されている。
本実施形態の表示装置１０Ａの動作は、第１実施形態の表示装置１０と同様であるが、第１表示ユニット５１と第２表示ユニット５２との間では、同期をとった表示を行う必要があるため、無線部１８を介して同期表示を行う。
【００３４】
以上説明したように、本実施形態によれば、第１実施形態と同様に、表示装置１０Ａの周面に沿って、略全周にわたって表示を行うことが可能となり、表示データ量を増加させることが可能となる。さらに、本実施形態によれば、ほぼ３６０゜全周にわたって風景を表示するといったように、表示装置１０Ａの周面を用いて様々な表示態様を実現することが可能となる。
また本実施形態によれば、第１及び第２フレーム５３Ａ、５３Ｂがヒンジ部５３Ｃにより連結されてフレーム１２が構成されると共に、第１及び第２フレーム５３Ａ、５３Ｂのそれぞれに設けられた第１及び第２表示ユニット５１、５２が無線部１８を介して互いに同期表示のための通信を行う構成としたため、表示装置１０Ａの略全周にわたって一連の表示を行うことが可能となる。
【００３５】
［３］第３実施形態
次いで本発明の第３実施形態について説明する。本実施形態では、複数の表示装置間で同期、連携がとれ、これら複数の表示装置が一体となって画像を表示することを可能にした表示装置について説明する。
【００３６】
図１０は本実施形態に係る表示装置システム１の構成を概略的に示す図である。なお、この図には、ユーザが３台の表示装置を腕に装着する場合が示されている。この図に示すように、表示装置システム１は、大別すると、パーソナルコンピュータ５と、表示装置１０-1、１０-2、１０-3とを備えている。パーソナルコンピュータ５は、表示装置１０-1、１０-2、１０-3に対する外部機器であり、表示装置１０-1、１０-2、１０-3が表示すべき表示データを予め記憶し、通信アンテナ５Ａを介して表示データを送信（転送）する。表示装置１０-1、１０-2、１０-3は、パーソナルコンピュータ５からの表示データに基づいて互いに同期した画像を表示する。
【００３７】
これら表示装置１０-1、１０-2、１０-3（以下、特に区別しない場合は「表示装置１０」と言う）は、次の点を除き、上述した第１実施形態の表示装置１０と同一の構成を有する。すなわち、本実施形態の表示装置１０のセンサ部１７が、いわゆる操作部としての機能と、回転位置検出部としての機能と、指向性を有する近距離無線通信を行う通信部としての機能とを備える点で第１実施形態の表示装置１０と異なる。センサ部１７が操作部として機能する場合には、センサとして、例えば、加速度センサ、ジャイロセンサなどを備え、ユーザの腕の振り状態などを検出して、表示画像選択、表示開始／停止などの各種操作を行う。センサ部１７が回転位置検出部として機能する場合には、センサとして、例えば、図１１に示すように、表示装置の双方の側面に、それぞれ少なくとも一つのＬＥＤ６０と、複数のフォトダイオード６１とを備えている。この図１１においては、一つのＬＥＤ６０と、３６個のフォトダイオード６１が配置されている。通信部として機能する場合には、ＬＥＤ６０を送信部として動作させ、フォトダイオード６１を受信部として動作させて、隣接する表示装置１０間で近距離無線通信を行うこととなる。
無線部１８は、近距離無線通信を行ってパーソナルコンピュータ５、専用画像転送装置、或いは、画像管理システム等の外部機器から表示データを受信し、コントローラ１４の制御下で外部メモリ１６に転送する。
【００３８】
また、本実施形態の表示装置１０としては、上記第１実施形態に示したようにフレーム１２が完全なボビン形状を有する第１態様の他にも、上記第２実施形態で示したようにフレーム１２がヒンジ部を備え中折れ構造を有する第２態様の表示装置１０Ａを用いることができる。この第２態様の表示装置１０Ａでは、第１表示ユニット５１および第２表示ユニット５２が、それぞれ副表示部として機能し、両者合わせて表示部として機能する。また、この第２態様の表示装置１０Ａは、第１表示ユニット５１と第２表示ユニット５２とが、それぞれ無線部１８を介して互いに通信し、第１表示ユニット５１と第２表示ユニット５２の間で同期のとれた表示を行う。
【００３９】
次いで、複数の表示装置１０-1、１０-2、１０-3が互いに画像の同期、連携を行うための回転位置検出機能の原理について説明する。
図１１は、回転検出部としての発光部（ＬＥＤ）と、受光部（フォトダイオード）との配置例説明図である。以下の説明では、表示装置１０-1のＬＥＤ６０が設けられた位置および表示装置１０-2のＬＥＤ６０が設けられた位置をそれぞれの表示装置１０-1、１０-2毎の基準位置とする。また、表示装置１０-2のＬＥＤ６０が設けられた位置に相当する表示画面の位置を複数の表示装置１０-1〜１０-3の表示基準位置とする。
【００４０】
また、表示装置１０-2のＬＥＤ６０が発光する場合には、この表示装置１０-2の複数のフォトダイオード６１は、光検出を行わないようにされている。このとき、表示装置１０-1の複数のフォトダイオード６１は、表示装置１０-2のＬＥＤ６０の発光を受光可能な状態となっている。
したがって、表示装置１０-2のＬＥＤ６０の発光方向をある程度指向性を持たせ、その発光範囲（照射範囲）が、例えば図１１に示すように、発光範囲ＡＬとなるようにすれば、表示装置１０-1の３６個のフォトダイオード６１のうち、隣接された複数個（例えば２個〜３個）のフォトダイオード６１のみが受光可能となる。これにより、受光できたフォトダイオード６１の配置位置の中心を表示装置１０-2のＬＥＤ６０の配置位置とみなせば、この表示装置１０-2のＬＥＤ６０が設けられた位置を表示基準位置として表示装置１０-1が表示を行い、表示装置１０-2が表示している画像に対し、表示画像のずれが少ない同期、連携した画像を表示できることとなる。
【００４１】
図１２は、表示装置の装着時における表示画像の表示例の説明図である。
図１２に示した状態で、表示装置１０-2が固定されている場合を例示すると、表示装置１０-1および表示装置１０-3が矢印Ｚ１方向あるいは矢印Ｚ２方向のいずれかにそれぞれ独立して回転したとしても、表示装置１０-2のＬＥＤ６０が設けられた位置を表示基準位置として表示装置１０-1および表示装置１０-3が画像の表示位置を補正することとなるので、常にリンゴが一体的に表示されることとなる。
従って、実際の表示状態としては、表示装置１０-2についても、表示装置１０-1および表示装置１０-3とは独立して矢印Ｚ１方向あるいは矢印Ｚ２方向のいずれかに回転したとしても、リンゴの表示位置が表示装置１０-2の回転に伴って移動するだけで、全体としてリンゴの画像が回転していく状態となる。
【００４２】
次に表示装置１０の動作を説明する。
図１３は、表示基準位置が設定される表示装置１０の処理フローチャートである。以下の説明では、この処理を表示装置１０-2が行うものとする。図１４は、表示基準位置を基準にして表示を補正する表示装置１０の処理フローチャートである。以下の説明では、図１４に示す処理を表示装置１０-1および表示装置１０-3が行うものとする。
また、連携して画像を表示すべき、表示装置１０-1〜１０-3は、初期状態において、自己が複数の表示装置１０-1〜１０-3のうち、略中心の位置に配置されている旨を表す中心位置特定情報としてモジュール番号＝０を自己位置特定情報として記憶しているものとする。
【００４３】
図１３に示すように、まず、表示装置１０-2は、表示基準位置確定処理を開始する（ステップＳ１）。
次に表示装置１０-2のコントローラ１４は、連携して画像を表示すべき複数の表示装置１０-1〜１０-3の表示パネル２２により略円筒に形成される表示画面について、略円筒の回転軸に沿った第１の方向（図１２、図１３においては、左側方向）に表示装置１０-1が存在する場合に（初期状態においては存在未確定のため）、当該表示装置１０-1の位置を特定するための自己位置特定情報（図中、位置データと記す）としてモジュール番号＝−１を送信する（ステップＳ２）。
【００４４】
一方、表示装置１０-1のコントローラ１４は、図１４に示すように、センサ部１７を構成するフォトダイオード６１が表示装置１０-2のＬＥＤ６０の発光を受光したか否かを判別する（ステップＳ３１）。
これにより表示装置１０-1のコントローラ１４は、受光範囲から上述した手法により、表示基準値位置を決定する（ステップＳ３２）。
次に表示装置１０-1のコントローラ１４は、センサ部１７を介して自己位置特定情報を受信した場合に、受信した方向Ｘ（この場合には、図１２における右方向）に自己位置特定情報（モジュール番号＝−１）を受信した旨の返答信号を送信する（ステップＳ３３）。
次に表示装置１０-1のコントローラ１４は、受信した自己位置情報が負の値（図中、−ａで示す）あるいは正の値（図中、＋ｂ）のいずれであるかを判別する（ステップＳ３４）。
今回、表示装置１０-1は自己位置特定情報としてモジュール番号−１を受信しており、この自己位置特定情報が負の値であるため、自己位置特定情報を受信した側（表示装置１０-2）とは逆方向Ｙ（図１２中、表示装置１０-2から見て左側方向）に自己位置特定情報としてモジュール番号＝−ａ−１、すなわち、モジュール番号＝−２をセンサ部１７を介して送信する（ステップＳ３５）。
【００４５】
次に、表示装置１０-1は、Ｙ方向（表示装置１０-2から見て左側方向）からステップＳ３３において送信したものと同様の返答信号を受信したか否かを判別する（ステップＳ３６）。
今回、表示装置１０-1の左側には、他の表示装置１０が存在しないので（ステップＳ３６；Ｎｏ）、処理をステップＳ４０に移行し、一定時間が経過したか否かを判別し（ステップＳ４０）、その後、一定時間が経過すると（ステップＳ４０；Ｙｅｓ）、表示装置１０-1から見てＹ方向には他の表示装置１０が存在しないので、自己がＹ方向側の端に位置する表示装置１０であるとする（ステップＳ４１）。
そして、表示装置１０-1のコントローラ１４は、自己の自己位置特定情報（モジュール番号＝−１）を端位置の表示装置の自己位置特定情報−Ａとする（ステップＳ４２）。すなわち、−Ａ＝−ａ（＝−１）とする。
そして、表示装置１０-1のコントローラ１４は、センサ部１７を介して表示装置１０-2が位置するＸ方向側（表示装置１０-1から見て右側方向）に終端情報としてのＥＮＤ信号および端位置の表示装置１０の自己位置特定情報−Ａを送信する（ステップＳ４３）。
【００４６】
なお、表示装置１０-1のさらに左側に、他の表示装置１０が存在する場合には（ステップＳ３６；Ｙｅｓ）、表示装置１０-1の左側方向に、他の表示装置１０が存在するので（ステップＳ３７）、表示装置１０-1のコントローラ１４は、左側方向からの信号受信があるまで待機する（ステップＳ３８）。
そして、左側方向に位置する端位置の表示装置１０に対応する自己位置特定情報−ＡおよびＥＮＤ信号を受信した場合には（ステップＳ３９）、表示装置１０-1のコントローラ１４は、センサ部１７を介して表示装置１０-2が位置する右方向側に、受信したＥＮＤ信号および端位置の表示装置の自己位置特定情報−Ａを送信することとなる（ステップＳ４３）。
【００４７】
一方、表示装置１０-2のコントローラ１４は、返答信号を受信したか否かを判別することとなるが（ステップＳ３）、この場合には、表示装置１０-1が存在するので、返答信号を受信することとなる（ステップＳ３；Ｙｅｓ）。
次に表示装置１０-2のコントローラ１４は、左側方向に他の表示装置１０が存在するとして（ステップＳ４）、左側方向から信号を受信するまで待機する（ステップＳ５）。
その後、表示装置１０-2のコントローラ１４は、左側方向から信号を受信し（ステップＳ５；Ｙｅｓ）、左側の終端情報としてのＥＮＤ信号および端位置の表示装置の自己位置特定情報−Ａを受信する（ステップＳ６）。
そして、表示装置１０-2のコントローラ１４は、端位置の表示装置（上述の例の場合、表示装置１０-1）の自己位置特定情報−Ａを確定し（ステップＳ７）、自己位置特定情報−Ａをメモリに保存する（ステップＳ１１）。
なお、ステップＳ３の判別において、返答信号を受信していない場合には（ステップＳ３；Ｎｏ）、表示装置１０-2のコントローラ１４は、一定時間が経過するまでステップＳ８およびステップＳ３の処理を繰り返す。そしてステップＳ８の判別において一定時間が経過した場合には、表示装置１０-2のコントローラ１４は、左側方向に他の表示装置１０が存在しないと判断し（ステップＳ９）、端位置の表示装置が自己の表示装置１０-2であるとして、自己位置特定情報−Ａ＝０に確定し（ステップＳ１０）、自己位置特定情報−Ａをメモリに保存する（ステップＳ１１）。
【００４８】
さらに表示装置１０-2のコントローラ１４は、上記処理ステップＳ１〜ステップＳ１１の処理と並行して、もしくは上記処理ステップＳ１〜ステップＳ１１の処理終了後に連続して次の処理を行う。すなわち、表示装置１０-2のコントローラ１４は、連携して画像を表示すべき複数の表示装置１０-1〜１０-3の表示パネル２２により略円筒に形成される表示画面について、略円筒の回転軸に沿った第２の方向（図１２、図１３においては、右側方向）に表示装置１０-3が存在する場合に（初期状態においては存在未確定のため）、当該表示装置１０-3の位置を特定するための自己位置特定情報としてモジュール番号＝１を送信する（ステップＳ１５）。
【００４９】
一方、表示装置１０-3のコントローラ１４は、センサ部１７を構成するフォトダイオード６１が表示装置１０-2のＬＥＤ６０の発光光を受光したか否かを判別する（ステップＳ３１）。
これにより表示装置１０-1のコントローラ１４は、受光範囲から上述した手法により、表示基準値位置を決定する（ステップＳ３２）。
次に表示装置１０-3のコントローラ１４は、センサ部１７を介して自己位置特定情報を受信した場合には、受信した方向Ｘ（この場合には、図１２における左方向）に自己位置特定情報（モジュール番号＝１）を受信した旨の返答信号を送信する（ステップＳ３３）。
次に表示装置１０-3のコントローラ１４は、受信した自己位置情報が負の値（図中、−ａで示す）あるいは正の値（図中、＋ｂ）のいずれであるかを判別する（ステップＳ３４）。
今回、表示装置１０-3が受信した自己位置特定情報はモジュール番号＝１であり正の値であるため、表示装置１０-3のコントローラ１４は、自己位置特定情報を受信した側（表示装置１０-2）とは逆方向Ｙ（図１２中、右側方向）に自己位置特定情報としてモジュール番号＝ｂ＋１、すなわち、モジュール番号＝２をセンサ部１７を介して送信する（ステップＳ４４）。
次にＹ方向からステップＳ３３において送信したものと同様の返答信号を受信したか否かを判別する（ステップＳ４５）。
【００５０】
今回、表示装置１０-3のさらに右側には、他の表示装置１０が存在しないので（ステップＳ４５；Ｎｏ）、処理をステップＳ４９に移行し、一定時間が経過したか否かを判別し（ステップＳ４９）、その後、一定時間が経過すると（ステップＳ４９；Ｙｅｓ）、Ｙ方向には表示装置は存在しないので、自己がＹ方向側の端に位置する表示装置であるとする（ステップＳ５０）。
そして、表示装置１０-3のコントローラ１４は、自己の自己位置特定情報（モジュール番号＝＋１）を端位置の表示装置の自己位置特定情報＋Ｂとする（ステップＳ５１）。すなわち、Ｂ＝ｂ（＝１）とする。
そして、表示装置１０-3のコントローラ１４は、センサ部１７を介して表示装置１０-2が位置するＸ方向側に終端情報としてのＥＮＤ信号および端位置の表示装置の自己位置特定情報＋Ｂを送信する（ステップＳ５２）。
【００５１】
なお、表示装置１０-3のさらに右側に、他の表示装置１０が存在する場合には（ステップＳ４５；Ｙｅｓ）、Ｙ方向に他の表示装置１０が存在するので（ステップＳ４６）、表示装置１０-3のコントローラ１４は、Ｙ方向からの信号受信があるまで待機する（ステップＳ４７）。
そして、Ｙ方向に位置する端位置の表示装置に対応する自己位置特定情報＋ＢおよびＥＮＤ信号を受信した場合には（ステップＳ４８）、表示装置１０-3 のコントローラ１４は、センサ部１７を介して表示装置１０-2が位置するＸ方向側に、受信したＥＮＤ信号および端位置の表示装置の自己位置特定情報Ｂを送信することとなる（ステップＳ５２）。
【００５２】
一方、表示装置１０-2のコントローラ１４は、返答信号を受信したか否かを判別することとなるが（ステップＳ３）、この場合には、表示装置１０-3が存在するので、返答信号を受信することとなる（ステップＳ１６；Ｙｅｓ）。
次に表示装置１０-2のコントローラ１４は、右側方向に表示装置が存在するとして（ステップＳ１７）、右側方向から信号を受信するまで待機する（ステップＳ１８）。
その後、表示装置１０-2のコントローラ１４は、右側方向から信号を受信し（ステップＳ１８；Ｙｅｓ）、右側の終端情報としてのＥＮＤ信号および端位置の表示装置の自己位置特定情報＋Ｂを受信する（ステップＳ１９）。
そして、表示装置１０-2のコントローラ１４は、端位置の表示装置（上述の例の場合、表示装置１０-3）の自己位置特定情報Ｂを確定し（ステップＳ２０）、自己位置特定情報＋Ｂをメモリに保存する（ステップＳ２４）。
【００５３】
なお、ステップＳ１６の判別において、返答信号が受信されていない場合には（ステップＳ１６；Ｎｏ）、表示装置１０-2のコントローラ１４は、一定時間が経過するまでステップＳ２１およびステップＳ１６の処理を繰り返す。そしてステップＳ２１の判別において一定時間が経過した場合には、表示装置１０-2のコントローラ１４は、右方向には表示装置が存在しないと判断し（ステップＳ９）、端位置の表示装置が自己の表示装置１０-2であるとして、自己位置特定情報＋Ｂ＝０に確定し（ステップＳ２３）、自己位置特定情報＋Ｂをメモリに保存する（ステップＳ２４）。
次に、表示装置１０-2のコントローラ１４は、両端位置の表示装置に対応する自己位置特定情報−Ａ、＋Ｂより表示装置の台数および両端位置を確定し（ステップＳ１２）、表示コンテンツ（表示画像）を確定する（ステップＳ１３）。
【００５４】
そして、表示装置１０-2のコントローラ１４は、両側（あるいは片側）に位置する表示装置１０-1、１０-3に両端位置の表示装置に対応する自己位置特定情報−Ａ、＋Ｂに表示コンテンツ（表示画像）を特定するためのコンテンツ番号および表示を開始するためのスタート信号を送信する。
一方、表示装置１０-1、１０-3のそれぞれのコントローラ１４は、Ｘ方向、すなわち、表示装置１０-2が存在する方向から、信号を受信するまで待機しており（ステップＳ５３）、表示装置１０-2から表示装置１０-1、１０-3のそれぞれのセンサ部１７を介して信号を受信し（ステップＳ５３；Ｙｅｓ）、すなわち、両端位置の表示装置に対応する自己位置特定情報−Ａ、＋Ｂに表示コンテンツ（表示画像）を特定するためのコンテンツ番号および表示を開始するためのスタート信号を受信し（ステップＳ５４）、表示コンテンツにおける自分の位置、すなわち、表示すべき画像を確認する（ステップＳ５５）。
【００５５】
具体的には、図１２に示すように、表示装置１０が３台であるので、リンゴの画像が左側の画像、中央部の画像及び右側の画像に３分割された各画像のうち、表示装置１０-1がリンゴの左側の画像、表示装置１０-2がリンゴの中央部の画像、表示装置１０-3がリンゴの右側の画像を表示することを確認することとなる。
その後、スタート信号の送信（上述の例では、表示装置１０-2の場合）あるいは受信（上述の例では、表示装置１０-1、１０-3の場合）に同期してステップＳ５５で確認した表示画像の表示を開始する。
【００５６】
図１５は、表示基準位置が設定される表示装置の表示位置補正処理フローチャートである。以下の説明では、この図１５に示す処理を表示装置１０-2が実行するものとする。
表示装置１０-2のコントローラ１４は、画像表示の表示位置補正処理において、例外処理が発生しているか否かを判別し（ステップＳ６１）、例外処理が発生している場合には（ステップＳ６１；Ｙｅｓ）、表示位置補正処理を行わないで処理を終了する。
ステップＳ６１の判別において、例外処理が発生していない場合には（ステップＳ６１；Ｎｏ）、表示装置１０-2のコントローラ１４は、補正通信タイミングであるか否かを判別する（ステップＳ６２）。
【００５７】
ステップＳ６２の判別において、いまだ補正通信タイミングではない場合には、表示装置１０-2のコントローラ１４は、処理を再びステップＳ６１に移行し、以下、同様の処理を行う。
ステップＳ６２の判別において、補正通信タイミングに至った場合には、表示装置１０-2のコントローラ１４は、両側面のＬＥＤ６０を発光させて補正信号として、表示装置１０-1、１０-3に照射して（ステップＳ６３）、処理を再びステップＳ６１に移行し、以下、同様の処理を行う。
図１６は、表示基準位置を基準にして表示を補正する表示装置の表示位置補正処理フローチャートである。以下の説明では、この図１６に示す処理を表示装置１０-1および表示装置１０-3が実行するものとする。
一方、表示装置１０-1および表示装置１０-3のコントローラ１４は、画像表示の表示位置補正処理において、例外処理が発生しているか否かを判別し（ステップＳ７１）、例外処理が発生している場合には（ステップＳ７１；Ｙｅｓ）、表示位置補正処理を行わないで処理を終了する。
【００５８】
ステップＳ７１の判別において、例外処理が発生していない場合には（ステップＳ７１；Ｎｏ）、表示装置１０-1および表示装置１０-3のコントローラ１４は、センサ部１７を介して補正信号を受信したか否かを判別する（ステップＳ７２）。
ステップＳ７２の判別において、いまだ補正信号を受信していない場合には、表示装置１０-1および表示装置１０-3のコントローラ１４は、処理を再びステップＳ７１に移行し、以下、同様の処理を行う。
【００５９】
ステップＳ７２の判別において、補正信号を受信した場合には、表示装置１０-1あるいは表示装置１０-3の３６個のフォトダイオード６１のうち、隣接された複数個（例えば２個〜３個）のフォトダイオード６１のみが受光可能となるので、受光できたフォトダイオード６１の配置位置の中心を表示装置１０-2のＬＥＤ６０の配置位置とみなして、この表示装置１０-2のＬＥＤ６０が設けられた位置を表示基準位置として表示を行う（ステップＳ７３）。これにより、表示装置１０-2が表示している画像に対し、表示装置１０-1および表示装置１０-3の表示画像のずれが少ない同期、連携した画像が表示されることとなる。
そして、各表示装置１０-1、１０-3のコントローラは、さらに他の表示装置１０が接続されている場合を考慮して、表示装置１０-2と同様に補正信号を送信することとなる（ステップＳ７４）。
【００６０】
以上説明したように、本実施形態によれば、ユーザが複数装着した小型、携帯型の表示装置１０において、表示装置１０間で同期、連携がとれ、表示装置１０が回転などした場合でも、これらの表示装置１０で一体として画像を表示できる。
なお、本実施形態では、回転位置検出および自己位置特定データ関連の送受信においてはセンサ部１７で光を用い、制御データ、表示データ等の送受信に、無線部１８を用いていたが、双方を光で行うように構成することも可能である。
また、センサ部１７に回転位置検出機能だけを持たせ、無線部１８として指向性のある近距離無線通信が行える構成とすれば、自己位置特定データ関連の送受信の機能を無線部１８に持たせるように構成することも可能である。
また、本実施形態では、回転位置検出においては光を用いたが、ある程度の指向性のある、例えば超音波のような手段を用いて、回転位置検出を行うように構成することも可能である。
【００６１】
［４］第４実施形態
次いで本発明の第４実施形態について説明する。本実施形態では、複数の表示装置間で同期、連携がとれ、これら複数の表示装置が一体となって画像を表示することを可能にした表示装置について説明する。詳細には、上述した第３実施形態では、複数の表示装置１０が互いに同期、連携して一つの画像が分割されてなる複数の画像のそれぞれを表示装置１０のそれぞれが表示することで、これらの表示装置１０が一体となって一つの画像を表示する構成とした。これに対して、本実施形態では、複数の表示装置１０の各々がそれぞれ異なる画像を表示すると共に、互いに同期、連携して画像表示を制御する構成について説明する。
【００６２】
図１７は本実施形態に係る表示装置システム１の構成を概略的に示す図である。なお、この図には、二人のユーザの各々に装着された表示装置１０-1、１０-2が、その表示を互いに同期（シンクロ）させた場合が例示されている。図１７に示すように、表示装置システム１は、大別すると、パーソナルコンピュータ５と、複数の表示装置１０-1、１０-2とを備えている。パーソナルコンピュータ５は、表示装置１０-1、１０-2に対する外部機器であり、表示装置１０-1、１０-2が互いに同期表示を行うためのプログラムおよび表示データを予め記憶し、通信アンテナ５Ａを介して表示制御プログラムおよび表示データを表示装置１０-1、１０-2に送信（転送）する。これにより、表示装置１０-1、１０-2は、パーソナルコンピュータ５からのゲームプログラムおよび表示データに基づいて互いに同期した画像表示を行う。
【００６３】
これらの表示装置１０-1、１０-2は、上述した第１実施形態の表示装置とほぼ同じ構成を有するが、表示を互いに同期させるように構成されている点において異なる。以下の説明においては、これら表示装置１０-1、１０-2を特に区別しない場合には、表示装置１０と表記する。
また、本実施形態の表示装置１０としては、上記第１実施形態に示したようにフレーム１２が完全なボビン形状を有する第１態様の他にも、上記第２実施形態で示したようにフレーム１２がヒンジ部を備え中折れ構造を有する第２態様の表示装置１０Ａを用いることができる。この第２態様の表示装置１０Ａでは、第１表示ユニット５１および第２表示ユニット５２が、それぞれ副表示部として機能し、両者合わせて表示部として機能する。また、この第２態様の表示装置１０Ａは、第１表示ユニット５１と第２表示ユニット５２とが、それぞれ無線部１８を介して互いに通信し、第１表示ユニット５１と第２表示ユニット５２の間で同期のとれた表示を行う。
【００６４】
次に表示装置１０の動作を説明する。この動作説明では、二人のユーザに表示装置１０-1、１０-2が装着され、これらの表示装置１０-1、１０-2の間で同期した表示を行う場合を説明する。
図１８は、実施形態のフローチャートである。
ユーザの指示により外部機器であるパーソナルコンピュータ５の通信アンテナ５Ａを介してゲーム用プログラムおよび表示データが送信（転送）されると、表示装置１０-1および表示装置１０-2の無線部１８が、近距離無線通信を行って同期表示用プログラム（制御用プログラム）および表示データをダウンロード（受信）する（ステップＳ１０１）。これら同期表示用プログラム（制御用プログラム）および表示データは、コントローラ１４の制御下で外部メモリ１６に転送される。そして、表示装置１０-1、１０-2の各々のコントローラ１４は、発振部１５が生成する基準発振信号に基づくタイミングで、ＲＡＭに格納された同期表示用プログラムおよび予めＲＯＭに格納された制御用プログラムに基づいてＭＰＵが処理を行い、表示ユニット１１に対してコネクタ部２４を介して表示データを転送する。
【００６５】
なお、パーソナルコンピュータ５（外部機器）から表示装置１０-1、１０-2への制御用プログラムおよび表示データの転送が、手動で行われる構成、及び、自動で行われる構成のいずれの構成とすることも可能である。さらに、自動で行われる構成では、表示装置１０が外部機器の通信可能範囲内に至ったときに、同期表示用プログラムおよび表示データの更新が行われるように構成することも可能である。このように構成することで、例えば、コンサート会場において、観客席の場所に応じて、同期表示させる画像表示内容を変えるなどの応用が可能となる。
【００６６】
次に各表示装置１０-1、１０-2のコントローラ１４は、同期を取るべき対象となる通信相手が検出されたか否かを判別する（ステップＳ１０２）。通信相手が検出される場合とは、所定距離内（相互通信可能距離内）に各表示装置１０-1、１０-2が存在する場合や、各表示装置１０-1、１０-2に予め識別番号を割り当てておき、通信相手として登録されている識別番号を有する表示装置からの通信要求があった場合をいう。
ステップＳ１０２の判別において、通信相手が検出されなかった場合には（ステップＳ１０２；Ｎｏ）、各表示装置１０-1、１０-2は待機状態となる。
一方、ステップＳ１０２の判別において、通信相手が検出された場合には（ステップＳ１０２；Ｙｅｓ）、各表示装置１０-1、１０-2は表示タイミングを互いに同期させるべく表示タイミング同期処理を行う（ステップＳ１０３）。具体的には、例えば、通信同期タイミングに表示タイミングを同期させるべく、各表示装置１０-1、１０-2が通信同期タイミングを基準とする表示タイミングクロックを生成するようにする。そして、各表示装置１０-1、１０-2が備える表示ユニット１１のドライバ回路２３が表示タイミングクロックに基づいて表示パネル２２を駆動することで同期表示制御を行い（ステップＳ１０４）、これにより、表示パネル２２上に表示データに対応する同期された画像が表示される。その後、同期表示用プログラムが終了したり、或いは、表示データの更新が無くなるなどの所定の終了条件が成立した場合に、本処理が終了する（ステップＳ１０５：Ｙｅｓ）。
【００６７】
ここで、具体的な同期表示画像および同期の態様について説明する。
図１９は、同期内容として表示画像の色の組み合わせの変更を同期させる場合の説明図である。
同期タイミングｔ１においては、表示装置１０-1の表示ユニット１１を構成する表示パネル２２には灰色の大きな三角形と白色の小さな三角形を組み合わせた画像が表示され、表示装置１０-2の表示ユニット１１を構成する表示パネル２２には白色の大きな三角形と黒色の小さな三角形を組み合わせた画像が表示される。
そして、次の同期タイミングｔ２においては、表示装置１０-1の表示パネル２２に表示されている灰色の大きな三角形と白色の小さな三角形を組み合わせた画像は、黒色の大きな三角形と白色の小さな三角形を組み合わせた画像に表示が切り替わる。
この表示装置１０-1の表示パネル２２の表示の切り替わりに同期して、表示装置１０-2の表示パネル２２に表示されている白色の大きな三角形と黒色の小さな三角形を組み合わせた画像は、白色の大きな三角形と灰色の小さな三角形を組み合わせた画像に表示が切り替わる。
【００６８】
同様に同期タイミングｔ３においては、表示装置１０-1の表示パネル２２の表示は、灰色の大きな三角形と黒色の小さな三角形を組み合わせた画像に表示が切り替わり、これに同期して、表示装置１０-2の表示パネル２２の表示は、黒色の大きな三角形と白色の小さな三角形を組み合わせた画像に表示が切り替わる。さらに同期タイミングｔ４においては、表示装置１０-1の表示パネル２２の表示は、黒色の大きな三角形と白色の小さな三角形を組み合わせた画像に表示が切り替わり、これに同期して、表示装置１０-2の表示パネル２２の表示は、灰色の大きな三角形と黒色の小さな三角形を組み合わせた画像に表示が切り替わる。
【００６９】
図２０は、同期内容として表示画像の動きを同期させる場合の説明図である。
同期タイミングｔ１においては、表示装置１０-1、１０-2の表示ユニット１１を構成する表示パネル２２には所定の画像（図２０では、小さな丸と、大きな三角形とを組み合わせた画像）が所定の方向（図２０では、小さな丸を上側に配置する方向）を向かせて表示される。
そして、この所定の画像は、制御プログラムにより左回転を開始し、同期タイミングｔ２において、小さな丸が左側に配置される方向となるように表示制御がなされる。
【００７０】
ここで、同期タイミングｔ２において、小さな丸が左側に配置される状態に至らなかった場合には、強制的に同期タイミングｔ２において、小さな丸が左側に配置される状態となるように表示制御を行う。
この表示画像は、以下、同様に、制御プログラムによりさらに左回転を行い、同期タイミングｔ３においては、小さな丸が下側に配置される方向となるように表示制御がなされ、同期タイミングｔ４においては、小さな丸が右側に配置される方向となるように表示制御がなされる。
【００７１】
図２１は、同期内容として表示画像の切替タイミングを同期させる場合の説明図である。
同期タイミングｔ１においては、表示装置１０-1の表示ユニット１１を構成する表示パネル２２にはホームベース形の画像が表示され、表示装置１０-2の表示ユニット１１を構成する表示パネル２２には丸形の画像が表示される。
そして、次の同期タイミングｔ２においては、表示装置１０-1の表示パネル２２の表示は、丸形の画像に切り替わり、この表示装置１０-1の表示パネル２２の表示の切り替わりに同期して、表示装置１０-2の表示パネル２２の表示は、四角形の画像に切り替わる。
同様に同期タイミングｔ３においては、表示装置１０-1の表示パネル２２の表示は、四角形の画像に切り替わり、この表示装置１０-1の表示パネル２２の表示の切り替わりに同期して、表示装置１０-2の表示パネル２２の表示は、ホームベース形の画像に切り替わる。
【００７２】
さらに同期タイミングｔ４においては、表示装置１０-1の表示パネル２２の表示は、ホームベース形の画像に切り替わり、この表示装置１０-1の表示パネル２２の表示の切り替わりに同期して、表示装置１０-2の表示パネル２２の表示は、丸形の画像に切り替わる。
以下、同様に表示画像が同期して切り換えられることとなる。
【００７３】
以上説明したように、本実施形態によれば、複数のユーザがそれぞれ装着した複数の表示装置１０の間で互いに同期がとれた画像が表示でき、複数のユーザが一体感を感じることが可能となる。
なお、本実施形態では、同期表示画像の一例を説明したが、表示タイミングを合わせて画像のパターンや、色彩、形状を複数の表示装置１０で同調させたり、相反するようにすることが可能である。具体的には、同一の表示画像を同期させて表示したり、形状の変化態様が同一の画像を各表示装置１０で色だけを異ならせて表示したりすることなどが考えられる。
また本実施形態では、予め記憶した同期表示用プログラム（制御プログラム）の処理手順に従って制御を行う場合について述べたが、センサ部１７を介したユーザの動作状態に応じて、同期表示を行いつつ、表示内容を動きに連動した画像表示（例えば、激しい動きを伴う場合には、動きの派手な画像を表示する等）を行うようにすることも可能である。
【００７４】
[５]第５実施形態
次いで本発明の第５実施形態について説明する。本実施形態では、複数の表示装置間で同期、連携がとれ、これら複数の表示装置が一体となって画像を表示することを可能にした表示装置について説明する。特に、本実施形態では、複数のユーザのそれぞれが表示装置１０を装着し、或いは、一人のユーザが複数の表示装置１０を装着し、これらの表示装置１０を用いて互いにゲームを行うことを可能にした構成について説明する。
【００７５】
図２２は、本実施形態の表示装置システム１の構成を概略的に示す図である。この図２２には、二人のユーザがシューティングゲームを行っている場合が例示されている。なお、図２２において、図１７と同じ部分には同一の符号を付す。
表示装置システム１は、大別すると、パーソナルコンピュータ５と、表示装置１０-1、１０-2とを備えている。パーソナルコンピュータ５は、表示装置１０-1、１０-2に対する外部機器であり、シューティングゲーム用のゲームプログラムおよび表示データを予め記憶し、通信アンテナ５Ａを介してゲームプログラムおよび表示データを送信（転送）する。表示装置１０-1、１０-2は、パーソナルコンピュータ５からのゲームプログラムおよび表示データに基づいて互いに同期した画像表示を行う。
【００７６】
次に表示装置１０の動作をシューティングゲームを二人のユーザが行う場合を例にして説明する。
図２３は、本実施形態の処理フローチャートである。
二入のうちのいずれかのユーザの指示により外部機器であるパーソナルコンピュータ５の通信アンテナ５Ａを介してゲーム用プログラムおよび表示データが送信（転送）されると、表示装置１０-1および表示装置１０-2のそれぞれの無線部１８は、近距離無線通信を行ってゲーム用プログラムおよび表示データをダウンロード（受信）する（ステップＳ１１１）。これらゲーム用プログラムおよび表示データは、コントローラ１４の制御下で外部メモリ１６に転送される。そして、表示装置１０-1、１０-2の各々のコントローラ１４は、発振部１５が生成する基準発振信号に基づくタイミングで、ＲＡＭに格納されたゲーム用プログラムおよび予めＲＯＭに格納された制御用プログラムに基づいてＭＰＵが処理を行い、表示ユニット１１に対してコネクタ部２４を介して表示データを転送する。
【００７７】
なお、パーソナルコンピュータ５（外部機器）から表示装置１０-1、１０-2への制御用プログラムおよび表示データの転送が、手動で行われる構成、及び、自動で行われる構成のいずれの構成とすることも可能である。さらに、自動で行われる構成では、表示装置１０が外部機器の通信可能範囲内に至ったときに、ゲーム用プログラムおよび表示データの更新が行われるように構成することも可能である。
【００７８】
次に各表示装置１０-1、１０-2のコントローラ１４は、各々通信相手が検出されたか否かを判別する（ステップＳ１１２）。ここで、通信相手が検出される場合とは、所定距離内（相互通信可能距離内）に各表示装置１０-1、１０-2が存在する場合や、各表示装置１０-1、１０-2に予め識別番号を割り当てておき、通信相手として登録されている識別番号を有する表示装置からの通信要求があった場合をいう。
ステップＳ１１２の判別において、通信相手が検出されなかった場合には（ステップ１Ｓ１１２；Ｎｏ）、各表示装置１０-1、１０-2は待機状態となる。
一方、ステップＳ１１２の判別において、通信相手が検出された場合には（ステップＳ１１２；Ｙｅｓ）、各表示装置１０-1、１０-2は表示タイミングを同期させるべく表示タイミング同期処理を行う（ステップＳ１１３）。具体的には、各表示装置１０-1、１０-2は通信同期タイミングに表示タイミングを同期させるべく、通信同期タイミングを基準とする表示タイミングクロックを生成する。そして、各表示装置１０-1、１０-2が有する表示ユニット１１のドライバ回路２３が表示パネル２２を駆動し、これにより、表示パネル２２上には表示データに対応する画像が表示されることになる。
【００７９】
具体的な表示態様としては、図２２に示すように、表示装置１０-1の表示パネル２２には、ピストルの画像、自分および相手の得点（初期状態では、双方とも０点）が表示される。一方、表示装置１０-2の表示パネル２２には、標的の画像、自分および相手の得点が表示される（初期状態では、双方とも０点）。なお、仮に表示装置１０-1、１０-2の装着状態により、表示が逆さまになっている場合には、ユーザが腕を３回強く振る動作など所定の動作を行うことにより、センサ部１７を介してコントローラ１４に反転指示が入力され、正常な表示がなされる。
【００８０】
このような表示状態の下、表示装置１０-1、１０-2のコントローラ１４は、表示装置１０-1のユーザが表示装置１０-1を指などで強くたたく等の所定のゲーム操作入力を行うと（ステップＳ１１４）、センサ部１７を介してコントローラ１４により、ピストルの向きが適宜選択される表示がゲーム表示制御としてなされる（ステップＳ１１５）。
次に、表示装置１０-1、１０-2のコントローラ１４は、ゲームを終了させるための所定の動作（例えば、腕を強く５回振る動作）がなされたか否かを判別する（ステップＳ１１６）。
ステップＳ１１６の判別において、ゲームを終了させるための所定の動作がなされなかった場合には（ステップＳ１１６；Ｎｏ）、次にユーザが腕を１回強く振る動作など所定の動作を行うことにより、表示装置１０-1のセンサ部１７を介してコントローラ１４にピストルの発射指示が入力され、表示装置１０-1の表示パネル２２には、ピストルから弾が飛び出した軌跡が表示される。
これに伴い、表示装置１０-1の無線部１８は、表示装置１０-2の無線部１８を介して表示装置１０-2のコントローラに弾の飛び出した方向、飛び出したタイミングなどを通知する。
【００８１】
一方、表示装置１０-2のコントローラ１４は、所定の方向で標的に向かって弾が飛んでいる画像を表示装置１０-2の表示パネル２２に表示させる。
そして、表示装置１０-2のコントローラ１４は、演算の結果、標的に弾が当たる場合には、標的に弾が当たった画像を表示パネル２２に表示し、当該弾が当たった場所に応じた得点をカウントし表示パネル２２の所定位置に表示する（ステップＳ１１５）。
そして再び、処理をステップＳ１１６に移行し、以下同様の処理を行う。
【００８２】
以上説明したように、本実施形態によれば、複数のユーザがそれぞれ装着した複数の表示装置で同期がとれた画像が表示でき、複数のユーザが一体感を感じることが可能となる。
また本実施形態によれば、複数のユーザが、表示装置１０を用いてゲームを通じて互いにコミュニケーションを図ることができる。さらに、本表示装置１０によれば、ゲームプログラムなどの様々なアプリケーションプログラムを利用して娯楽性を向上させることが可能となる。
なお本実施形態では、弾の飛び出した方向および飛び出したタイミングなどをデータとして通知する場合について説明したが、狭指向性通信手段を用い、通信媒体（電波、光など）の到達方向に基づいて飛び出した方向などを定めるように構成することも可能である。
また、上述の第３乃至第５実施形態の表示装置１０によれば、複数の表示装置１０のそれぞれが、互いに同期、連携して画像を表示するため、一つのディスプレイ装置では表現しきれないコンテンツの画像（動画を含む）を表示することができる。
【００８３】
ここで、上述の第３乃至第５実施形態では、通信ネットワーク（通信）の形態として、表示装置がデイジーチェーンで接続されている場合について説明したが、表示データの通信ネットワークとしては、ピアツーピア型、スター型、リング型あるいはバス型の通信ネットワークとして構築されているようにしてもよい。
また、上述の第３乃至第５実施形態では、複数のユーザが一つの表示装置を装着する場合について説明したが、一人のユーザが複数の表示装置を装着したり、複数のユーザがそれぞれ複数の表示装置を装着することも可能である。
また上述の第３乃至第５実施形態において、複数の表示装置１０が外部機器を介して互いにメッセージなどを送受することで、これらの表示装置１０をコミュニケーションツールとして用いることも可能である。
【００８４】
また、上述の第１乃至第５実施形態では、表示ユニットが一つあるいは二つの場合について説明したが、さらに多くの表示ユニットを備えるように構成することも可能である。この場合においても、複数の表示ユニットにおいて、表示の同期をとるように構成することも可能である。
また、上述の第１乃至第５実施形態では、表示装置を制御するための制御プログラムが予めＲＯＭに記憶されている場合について説明したが、各種磁気ディスク、光ディスク、メモリカードなどの記録媒体に制御用プログラムをあらかじめ記録し、これらの記録媒体から読み込み、インストールするように構成することも可能である。また、無線部をインターネット、ＬＡＮなどのネットワークに接続し、ネットワークを介して制御用プログラムをダウンロードし、インストールして実行するように構成することも可能である。このように構成することにより、ソフトウェア的により高機能の表示制御を行えるようにしたりすることが可能となる。
【図面の簡単な説明】
【００８５】
【図１】第１実施形態の表示装置の外観斜視図である。
【図２】第１実施形態の表示装置の外観側面図である。
【図３】第１実施形態の表示装置の概要構成ブロック図である。
【図４】第１実施形態における組込前の表示ユニットの平面図である。
【図５】図２に示した表示装置のＡ−Ａ断端面図である。
【図６】図５に示した表示装置のＢ−Ｂ断面図である。
【図７】第１実施形態の動作説明図である。
【図８】第２実施形態の表示装置の外観斜視図である。
【図９】図８に示した表示装置の断端面図である。
【図１０】第３実施形態の概要構成図である。
【図１１】回転位置検出部として機能する場合のセンサ部の構成説明図である。
【図１２】表示装置の装着時における表示画像の表示例の説明図である。
【図１３】表示基準位置が設定される表示装置の処理フローチャートである。
【図１４】表示基準位置を基準にして表示を補正する表示装置の処理フローチャートである。
【図１５】表示基準位置が設定される表示装置の表示位置補正処理フローチャートである。
【図１６】表示基準位置を基準にして表示を補正する表示装置の表示位置補正処理フローチャートである。
【図１７】第４実施形態の動作説明図である。
【図１８】第４実施形態の処理フローチャートである。
【図１９】同期内容として表示画像の色の組み合わせの変更を同期させる場合の説明図である。
【図２０】同期内容として表示画像の動きを同期させる場合の説明図である。
【図２１】同期内容として表示画像の切替タイミングを同期させる場合の説明図である。
【図２２】第５実施形態の概要構成図である。
【図２３】第５実施形態の処理フローチャートである。
【符号の説明】
【００８６】
１０…表示装置、１１…表示ユニット、１２…フレーム、１３…電源、１４…コントローラ、１５…発振部、１６…外部メモリ、１７…センサ部、１８…無線部、２４…コネクタ、３０…カバー、３１…電子部品、３２…フレキシブル基板、３３…電源コネクタ部、５１…第１表示ユニット、５２…第２表示ユニット、５３…フレーム、５３Ａ…第１フレーム、５３Ｂ…第２フレーム、５３Ｃ…ヒンジ部、５４Ａ、５４Ｂ…電源、５５Ａ、５５Ｂ…フレキシブル基板、５６Ａ、５６Ｂ…カバー、５７Ａ、５７Ｂ…電源コネクタ部、５８Ａ、５８Ｂ…コネクタ部。
【図１】
2005250442.tif 000003
【図２】
2005250442.tif 000004
【図３】
2005250442.tif 000005
【図４】
2005250442.tif 000006
【図５】
2005250442.tif 000007
【図６】
2005250442.tif 000008
【図７】
2005250442.tif 000009
【図８】
2005250442.tif 000010
【図９】
2005250442.tif 000011
【図１０】
2005250442.tif 000012
【図１１】
2005250442.tif 000013
【図１２】
2005250442.tif 000014
【図１３】
2005250442.tif 000015
【図１４】
2005250442.tif 000016
【図１５】
2005250442.tif 000017
【図１６】
2005250442.tif 000018
【図１７】
2005250442.tif 000019
【図１８】
2005250442.tif 000020
【図１９】
2005250442.tif 000021
【図２０】
2005250442.tif 000022
【図２１】
2005250442.tif 000023
【図２２】
2005250442.tif 000024
【図２３】
2005250442.tif 000025